(57)【要約】【課題】  本発明の画像形成装置の筐体構造は、本体筐体外装部に取扱説明書類等の収納部を取り付ける場合に、接着方法と同時にネジ止めによる補強を行い、接着剤の経時劣化等による不具合の発生防止を可能とすることを課題とする。【解決手段】  本体側のネジ穴は、筐体外装部の一部にボスを一体的に形成することにより設けている。そして、前記ボスにはネジの下穴のみが設けられており、実際にユーザーが収納部９を本体筐体外装部１２に取り付け、ネジ１０をねじ込む際に同時にねじ切りが行われてネジ固定される方式となっている。これにより、本体筐体外装部１２に貫通穴を設けることなく、収納部９の取り付け強度を上げることが可能となり、接着剤の経時劣化による収納部９の落下等不具合の発生を防止することができる。【選択図】      図２
2006178127.tif 000002
【特許請求の範囲】
【請求項１】
書類等を収納する収納部を取付けるための画像形成装置の筐体構造において、
前記筐体構造は、画像形成装置本体の筐体外装部の内側に突部を設け、前記収納部と前記突部とを締着部材により締着する
ことを特徴とする画像形成装置の筐体構造。
【請求項２】
請求項１に記載の筐体構造において、
前記本体筐体外装部は、プラスチック製であって、突部と一体で構成され、各部の厚さが３ｍｍ以下である
ことを特徴とする画像形成装置の筐体構造。
【請求項３】
請求項１ないし２のいずれかに記載の筐体構造において、
前記筐体構造は、突部を複数個持つ
ことを特徴とする画像形成装置の筐体構造。
【請求項４】
請求項１ないし３のいずれかに記載の筐体構造において、
前記筐体構造は、締着位置を規制する位置決め用軸穴を少なくとも1つ以上持つ
ことを特徴とする画像形成装置の筐体構造。
【請求項５】
請求項１ないし４のいずれかに記載の筐体構造において、
前記筐体構造は、収納部を接着式にて固定し、
接着と同時に締着部材により締着することが可能である
ことを特徴とする画像形成装置の筐体構造。
【請求項６】
請求項１ないし５のいずれかに記載の筐体構造において、
前記筐体構造は、収納部の一部に位置決め部材を設ける
ことを特徴とする画像形成装置の筐体構造。
【請求項７】
請求項１ないし６のいずれかに記載の筐体構造において、
前記筐体構造は、接着方式単独で保持する場合に、接着機能を阻害しない構造を持つ
ことを特徴とする画像形成装置の筐体構造。
【請求項８】
請求項１ないし7のいずれかに記載の筐体構造において、
前記筐体構造は、位置決め部材が、収納部から簡易に取り外し可能な構造を持つ
ことを特徴とする、画像形成装置の筐体構造。
【発明の詳細な説明】
【技術分野】
【０００１】
本発明は、ＰＰＣ・ＦＡＸ・プリンター等（カラー・モノクロ）及び、その複合機能をもつ画像形成装置における、本体構造体に関し、筐体構造・外装構造・電送系に関する分野のうち、外装部分に取り付ける、取扱説明書類等の収納部の取り付け問題の改善に関する。
【背景技術】
【０００２】
従来、コピー機、プリンター、ＦＡＸ単機能機またはその複合機では、取扱い説明書類等の収納部として筐体外装部分に両面接着テープにて接着する事で、箱状の空間を形成し、そこに取扱説明書類（以下マニュアル類）を保持しておく機能を持つ、収納部を持っている。
両面接着テープにて取り付ける事で、画像形成装置本体の任意の場所に取付け可能な構成となっており、また、画像形成装置以外の任意の場所にも設置できる構成となっている為、使用者にとって、利便性の高い構成となっている。
【０００３】
しかし、上記構成上の不具合点として、両面接着テープ自体の経時劣化や、貼付け相手場所の状態（表面に油分が残存している場合等）によって、経時ではがれが発生して、最悪の場合、マニュアル類と共に落下する場合が在った。
【０００４】
これに対し、上記収納部を筐体外装部分にネジで固定する場合は、筐体外装部分にネジ穴を設ける必要がある。しかし、筐体外装部分については、貫通穴を設けることは、内部配線等の保護の目的等により、電気用品取締法等により禁じられている。したがって、ネジ固定を採用する場合には、ネジ穴が貫通穴とならないようにする必要がある。
【０００５】
また、筐体外装部分にネジを取り付けて、そのネジで上記収納部を係着させる方式は、ネジ設置部の存在により、収納部のオプション取り付けの自由度が減ってしまうという問題がある。
【０００６】
さらに、上記収納部を両面接着テープで貼付ける方式の場合、筐体外装部分がプラスチックの場合は上記の問題となるが、筐体外装部分が金属製の場合は経時劣化の問題はなく、接着強度は良好に保たれる。そのため、ネジ固定を採用する場合でも両面接着テープ方式が併用できる構成が望ましい。
【０００７】
画像形成装置に収納部をネジ固定し、かつ、両面接着する場合、一旦両面接着固定後、ネジによる補強固定の手順となる為、ネジの画像形成装置本体側止め位置と、収納部の固定用穴が合致している必要がある。
上記ネジ穴の位置あわせに使用する部品等の点数は、極力少なくして、ユーザーの使い勝手のよいものにする必要がある。
また、筐体外装部分をプラスチック製とする場合は、製作方法としては鋳造が採用されるため、湯流れのよい構成とする必要がある。
【特許文献１】特開２００４−６１９５７号
【発明の開示】
【発明が解決しようとする課題】
【０００８】
本発明の画像形成装置の筐体構造は、上記問題に鑑みなされたもので、接着方法と同時にネジ止めによる補強を行い、上記不具合の発生防止を可能とする筐体構造を提供することを課題とする。
さらに、本発明の筐体構造は、少なくとも２個以上の複数個ネジを持つことで面の規制を行うことを課題とする。
さらに、本発明の筐体構造は、両面接着テープ固定を行うと同時にネジ固定を行う為、一旦位置ネジ固定用のネジ位置と取り付け穴位置を合わせることを簡易な方法で可能とすることを課題とする。
さらに、本発明の筐体構造は、上記機能を備えつつ、接着固定のみの場合でも、収納部の形状変更が不要な構成とすることを課題とする。
【課題を解決するための手段】
【０００９】
上記課題を解決するための手段として、本発明は以下の特徴を有している。
請求項１に記載の画像形成装置の筐体構造では、書類等を収納する収納部を取付けるための画像形成装置の筐体構造において、前記筐体構造は、画像形成装置本体の筐体外装部の内側に突部を設け、前記収納部と前記突部とを締着部材により締着することを特徴とする。
請求項２に記載の画像形成装置の筐体構造では、さらに、前記本体筐体外装部は、プラスチック製であって、突部と一体で構成され、各部の厚さが３ｍｍ以下であることを特徴とする。
請求項３に記載の画像形成装置の筐体構造では、さらに、前記筐体構造は、突部を複数個持つことを特徴とする画像形成装置の筐体構造。
請求項４に記載の画像形成装置の筐体構造では、さらに、前記筐体構造は、締着位置を規制する位置決め用軸穴を少なくとも1つ以上持つことを特徴とする。
【００１０】
請求項５に記載の画像形成装置の筐体構造では、さらに、前記筐体構造は、収納部を接着式にて固定し、接着と同時に締着部材により締着することが可能であることを特徴とする。
請求項６に記載の画像形成装置の筐体構造では、さらに、前記筐体構造は、収納部の一部に位置決め部材を設けることを特徴とする。
請求項７に記載の画像形成装置の筐体構造では、さらに、前記筐体構造は、接着方式単独で保持する場合に、接着機能を阻害しない構造を持つことを特徴とする。
請求項８に記載の画像形成装置の筐体構造では、さらに、前記筐体構造は、位置決め部材が、収納部から簡易に取り外し可能な構造を持つことを特徴とする。
【発明の効果】
【００１１】
以上説明したように、上記解決するための手段によって、本発明の筐体構造では、接着方法と同時にネジ止めによる接着力補強を行える。
さらに、本発明の筐体構造では、画像形成装置に収納部をネジ固定且つ、両面接着する場合、一旦両面接着固定後ネジによる補強固定の手順となる為、ネジの画像形成装置本体側止め位置と、収納部の固定用穴が合致している必要があるが、実施例でも示すように、少なくとも２個以上の複数個ネジを持つことで面の規制を行うことが可能になる
さらに、本発明の筐体構造では、両面接着テープ固定を行うと同時にネジ固定を行う為、一旦位置ネジ固定用のネジ位置と取り付け穴位置を合わせることが可能なように、位置決め用の位置決め軸を機械本体にもたせることでネジ止め作業を確実にする。
【００１２】
さらに、本発明の筐体構造では、上記位置決め軸を収納部の形状の一部に持たせることで、その目的を達成する。
さらに、本発明の筐体構造では、一部構成の、位置決め軸形状を、両面接着部分と逆向けに設置することで接着固定のみの場合でも、収納部の形状を変更しなくても使用可能な構成により、現状機能を満足することが出来る。
さらに、本発明の筐体構造では、収納部に設けた位置決めピンが収納部から容易に分離することが可能な構成とすることで、位置決め作業が簡易に実施できる。
【発明を実施するための最良の形態】
【００１３】
図１に本発明の一実施を示す電子写真方式画像形成装置の本体の概略構成を示す。
本実施形態の画像形成装置は、原稿を載置する原稿ガラス２と給紙トレイ８との空間に本体トレイ３を有する胴内排紙型を一例として説明する。
まず、ユーザーは、自動原稿送り装置１の原稿載置部または原稿ガラス２上に原稿を載置し、操作部４のコピー開始ボタンを押す。すると、載置された原稿を原稿ガラス２の下にある読取部で原稿が読み取られるとともに、給紙トレイ８から記録用紙が図示しない画像形成部へ搬送される。画像形成部で画像が形成された後、片面印刷であれば本体トレイ３へ排紙され、両面印刷であれば、両面ユニット６で用紙が反転され再度画像形成部で裏面に画像を形成後に本体トレイ３に排紙される。
なお、画像形成部は前カバー７の内側に配置され、前カバーを開放することにより画像形成部のメンテナンスが可能である。
また、装置本体は、本体筐体外装部１２で覆われることにより記載しない装置内部の電子部品や配線等の電装部が保護されている。
図１の中で、収納部９に本発明の一実施例を示す。このように、本体筐体の外装部分に取り付けられるのが一般的である。したがって、本実施例においても、この部分の筐体外装部に、以下に説明するネジ穴を取り付けた。なお、本実施例において、本体筐体外装部はプラスチック製である。
【００１４】
図２に示すように、本発明では、両面接着テープの接着性の経時劣化による不具合を防止する為、図示の用に両端部を装置本体筐体部にネジ止めにて固定する。
本体側のネジ穴は、ネジ留め作業により装置内部の配線の断線や電子部品との接触を防止するために、図７に示すように本体筐体外装部１２の一部に突部（以下「ボス」と記す。）を一体的に形成することにより設けている。このボス部１４の厚さｔ３は、本体筐体部１２の厚さｔ２と同じであって、３ｍｍ以下が好ましい。筐体の強度とプラスチックの湯流れを考慮したものである。収納部９の厚さｔ１についても同様に３ｍｍ以下が好ましい。
【００１５】
そして、前記ボス１４にはネジの下穴１５のみが設けられており、実際にユーザーが収納部９を本体筐体外装部１２に取り付ける際に、ネジ１０をねじ込む際に同時にねじ切りが行われてネジ固定される方式となっている。プラスチックの下穴１５であるため上記方式にて容易にネジ切りとネジによる固定を同時に行うことができ、事前のネジ穴の加工が不要である点で簡易かつ安価な方式である。
また、ボス１４の下穴１５の深さは、ネジの挿入長より長くなるように設けられている。この構成により、ネジを誤って深く挿入し、装置内部に突出することを防止するとともに、ネジ切り時に発生する粉を空間に集めることが可能である。
【００１６】
図３に示すように、本発明では、収納部と両面接着テープを同時貫通する穴を設けそこを貫通するように、ネジ穴を設ける。
図３において収納部９の左右に設置した貫通穴は、両面接着テープ１１とネジ固定の両方を使用して収納部９を本体筐体外装部１２に取り付ける場合に、収納部９の貫通穴と本体筐体外装部１２の下穴１５の位置を合わせる（図６参照方）ために使用される。
上記位置合わせを行った後に、両面接着テープ１１の表面を覆うシールをはがして接着させることで、ユーザーが容易に収納部９を正しい位置に取り付けられるようにするためである。
【００１７】
図７にネジ１０で取り付けた場合の取り付け部の断面を示す。この方式により、両面接着テープ１１とネジ１０の両方を使用することが可能となり、また、両面接着テープ１１のシールをはがさずに、ネジ１０のみで固定することもできる。いずれの場合でも両面接着テープ１１はワッシャーの役目を果たすため、ネジ１０による強固な固定が可能となり、前記経時劣化による不具合を防止することができる。
【００１８】
図４に示すように、本発明では、位置決め用の位置決めピンを収納部の端部に形成して、且つ、ミシン目を形成することで間単に外すことが可能な構成となっている。
部品点数の増加を抑えて、簡易な方法で、ユーザーが収納部９を正しく取り付けられる様にするものである。
【００１９】
図５には、位置決め軸用部品１３を収納部から分離する方法を説明する。前記ミシン目をカットすることで簡単に外すことが可能となる。
図６に、先記説明の位置決めピンを使用した、取り付け方法の説明を記載する。
図５の位置決め軸用部品１３を、収納部９の左右の貫通穴を通して対応する本体筐体外装部１２の下穴１５に一旦差し込むことにより位置合わせを行い、この状態で各穴位置をずらさないようにしつつ、収納部９の下方の貫通穴位置に対応する本体筐体外装部１２の下穴にネジ１０をねじ込むことで、収納部９の位置合わせおよび仮止めを行う。そして、両面接着テープ１１を使用する場合は、この段階でシールをはがす。しかる後に、位置決め軸用部品１３を抜いて、ネジ１０を収納部９の各貫通穴よりねじ込むことで、両面接着テープ１１およびネジ１０の両方を用いて収納部９を正しい位置に容易に固定することができる。
【００２０】
図７に、収納部９と筐体外装部分１２との取り付け部の詳細を示す。
本体筐体外装部分１２に取り付けられたボス１４は、鋳造の際の湯流れを考慮して、本体部分とボス部１４の厚さがｔ２＝ｔ３と等しくなっている。このようなボス形状とすることで、本体筐体外装部１２に貫通穴を開けることなく、収納部９のネジによる固定を可能としている。しかも、ボス部１４には鋳造の際形成される下穴１５のみが明いていればよく、前述のようにネジ加工の必要はないため、筐体外装部分１２の製作加工が容易である。
また、本方式によらず、下穴１５に予めインサート（挿入式の雌ネジ）を挿入しておき、インサートに対しネジで止める方式であっても、インサートがボスでカバーされているため、内部の配線や電子機器とのショートを気にせず容易に固定することができる。
【図面の簡単な説明】
【００２１】
【図１】本発明の一実施例を示す電子写真方式画像形成装置の構成概略図である。
【図２】両面接着テープでの接着性を向上させるための両端部のネジ止め位置を示す図である。。
【図３】収納部と両面接着テープを同時貫通するネジ穴部の説明図である。
【図４】位置決め用の位置決めピンを収納部の端部に形成して、且つ、ミシン目を形成することで間単に外すことが可能な構成となっている。
【図５】位置決め軸用部品を収納部から分離する方法を説明する。先記ミシン目をカットすることで簡単に外すことが可能となる。
【図６】先記説明の位置決めピンを使用した、取り付け方法の説明を記載する。
【図７】収納部と本体サイドカバーとの取り付け部の断面図である。
【符号の説明】
【００２２】
１  原稿カバー／自動原稿送り装置
２  原稿ガラス
３  本体トレイ
４  操作部
５  本体上トレイ
６  両面ユニット
７  前カバー
８  給紙トレイ
９  収納部
１０  収納部取付け用ネジ
１１  両面接着テープ
１２  本体筐体外装部
１３  位置決め軸用部品
１４  ボス
１５  下穴
【図１】
2006178127.tif 000003
【図２】
2006178127.tif 000004
【図３】
2006178127.tif 000005
【図４】
2006178127.tif 000006
【図５】
2006178127.tif 000007
【図６】
2006178127.tif 000008
【図７】
2006178127.tif 000009